(57)【要約】【課題】  多機能通信システムにおいて親機側の複数の状態を子機の表示部に認識可能に表示させると共に、子機の機能を損ねることなく動作させる。【解決手段】  少なくとも留守番電話機能及びファクシミリ機能により親機の状態が変化したか否かを監視し、状態が変化した場合、状態の変化を示す信号を子機へ送信する。そして、子機が、状態の変化を示す信号を受信し、子機が充電中の場合、親機の状態が変化したことを示す表示を表示部に表示させると共に、表示部を点滅させる。【選択図】      図６
2009005172.tif 000002
【特許請求の範囲】
【請求項１】
少なくとも留守番電話機能及びファクシミリ機能を有する親機と、該親機と無線で接続された子機とから構成される多機能通信システムであって、
前記親機に、前記少なくとも留守番電話機能及びファクシミリ機能により該親機の状態が変化したか否かを監視する監視手段と、
前記親機の状態が変化した場合に、該状態の変化を示す信号を前記子機へ送信する送信手段とを備え、
前記子機に、前記状態の変化を示す信号を受信する受信手段と、
前記子機が充電中か否かを検出する検出手段と、
前記子機が充電中で、かつ、前記状態の変化を示す信号を受信した場合に、前記親機の状態が変化したことを示す表示を表示部に表示させると共に、該表示部を点滅させる表示手段とを備えることを特徴とする多機能通信システム。
【請求項２】
前記受信手段は、前記親機から送信される信号に対して間欠受信を行い、
前記表示手段は、前記点滅の点灯タイミングを前記間欠受信のタイミングとずらすことを特徴とする請求項１に記載の多機能通信システム。
【請求項３】
前記表示手段は、前記充電中の充放電特性に従って前記表示部を点滅させることを特徴とする請求項１又は２に記載の多機能通信システム。
【請求項４】
前記表示手段は、前記状態の変化が複数ある場合、該複数の状態が変化したことを示す表示を交互に表示させることを特徴とする請求項１乃至３の何れか１項に記載の多機能通信システム。
【請求項５】
少なくとも留守番電話機能及びファクシミリ機能を有する親機と、該親機と無線で接続された子機とから構成される多機能通信システムの制御方法であって、
前記親機に、前記少なくとも留守番電話機能及びファクシミリ機能により該親機の状態が変化したか否かを監視する監視工程と、
前記親機の状態が変化した場合に、該状態の変化を示す信号を前記子機へ送信する送信工程とを有し、
前記子機に、前記状態の変化を示す信号を受信する受信工程と、
前記子機が充電中か否かを検出する検出工程と、
前記子機が充電中で、かつ、前記状態の変化を示す信号を受信した場合に、前記親機の状態が変化したことを示す表示を表示部に表示させると共に、該表示部を点滅させる表示工程とを有することを特徴とする多機能通信システムの制御方法。
【請求項６】
請求項５に記載の多機能通信システムの制御方法をコンピュータに実行させるためのプログラム。
【請求項７】
請求項６に記載のプログラムを記録したコンピュータ読み取り可能な記録媒体。
【発明の詳細な説明】
【技術分野】
【０００１】
本発明は、少なくとも留守番電話機能及びファクシミリ機能を有する親機と、該親機と無線で接続された子機とから構成される多機能通信システム及びその制御方法に関する。
【背景技術】
【０００２】
従来、親機の１つの状態（留守）を子機に無線で知らせ、状態を表示し、子機が充電中であれば常時点灯させ、充電中で無ければ点灯させない技術が提案されている（例えば、特許文献１参照）。
【０００３】
しかし、親機の状態は複数有り、それを子機にて表示することによる差別化と、充電中の常時点灯では、充電電流と、消費電流の関係から本来の目的の充電ができない。ここで、常時点灯ではなく点滅制御によってユーザへの認識アップと充電制御の両方を満足させるための差別化を設けている。
【０００４】
また、優先呼出機能を目的として点滅状態における制御信号のノイズを除去する技術が提案されている（例えば、特許文献２参照）。
【０００５】
しかし、特許文献２では、通話に入ってから示すＬＥＤを常時点灯か消灯のままで使用することが開示されている。しかし、間欠受信によるところのＬＥＤ点滅ノイズというところが重要であり、この制御に差別化を設け、間欠受信のタイミングとＬＥＤ点灯タイミングをずらす制御で対応している。
【特許文献１】特開平０７−０５０８７８号公報
【特許文献２】特開平０８−２６５８５４号公報
【発明の開示】
【発明が解決しようとする課題】
【０００６】
上述した従来の技術では、以下のような問題があった。
（１）親機側の複数の状態を子機に知らせることができなかった。
（２）子機にて親機の状態をユーザに知らせるためのＬＥＤ表示が点灯のままで分かりにくかった。
（３）充電効率を考えたＬＥＤ制御がされていなかった。
（４）ＬＥＤを点滅することによって発生するノイズを考慮した無線通信ができなかった。
【０００７】
そのため、親機の状態を子機でユーザに知らせるための機能が満足行くものではなく、この際の表示、ＬＥＤタイミングと充電制御、更には間欠受信の３つの動作を正常に効率良く、かつ機能として十分満足できなかった。
【０００８】
本発明は、多機能通信システムにおいて親機側の複数の状態を子機の表示部に認識可能に表示させると共に、子機の機能を損ねることなく動作させることを目的する。
【課題を解決するための手段】
【０００９】
本発明は、少なくとも留守番電話機能及びファクシミリ機能を有する親機と、該親機と無線で接続された子機とから構成される多機能通信システムであって、前記親機に、前記少なくとも留守番電話機能及びファクシミリ機能により該親機の状態が変化したか否かを監視する監視手段と、前記親機の状態が変化した場合に、該状態の変化を示す信号を前記子機へ送信する送信手段とを備え、前記子機に、前記状態の変化を示す信号を受信する受信手段と、前記子機が充電中か否かを検出する検出手段と、前記子機が充電中で、かつ、前記状態の変化を示す信号を受信した場合に、前記親機の状態が変化したことを示す表示を表示部に表示させると共に、該表示部を点滅させる表示手段とを備えることを特徴とする。
【００１０】
また、本発明は、少なくとも留守番電話機能及びファクシミリ機能を有する親機と、該親機と無線で接続された子機とから構成される多機能通信システムの制御方法であって、前記親機に、前記少なくとも留守番電話機能及びファクシミリ機能により該親機の状態が変化したか否かを監視する監視工程と、前記親機の状態が変化した場合に、該状態の変化を示す信号を前記子機へ送信する送信工程とを有し、前記子機に、前記状態の変化を示す信号を受信する受信工程と、前記子機が充電中か否かを検出する検出工程と、前記子機が充電中で、かつ、前記状態の変化を示す信号を受信した場合に、前記親機の状態が変化したことを示す表示を表示部に表示させると共に、該表示部を点滅させる表示工程とを有することを特徴とする。
【発明の効果】
【００１１】
本発明によれば、多機能通信システムにおいて親機側の複数の状態を子機の表示部に認識可能に表示させると共に、子機の機能を損ねることなく動作させることができる。
【発明を実施するための最良の形態】
【００１２】
以下、図面を参照しながら発明を実施するための最良の形態について詳細に説明する。
【００１３】
本実施形態では、多機能通信システムとして、コードレス留守番電話付きファクシミリ装置（ＦＡＸ）を例に説明する。尚、本発明は、これだけに限らず、プリンタ機能、スキャナ機能、ファクシミリ機能、留守番電話機能を有する複合機に適用しても良い。また、上述の機能の他にＷＥＢ閲覧や文字メッセージを送受信できるメール機能も有する。
【００１４】
図１は、本実施形態におけるコードレス留守番電話付きファクシミリ装置（ＦＡＸ）の構成の一例を示す図である。図１において、１００はファクシミリ装置のコードレス電話付き親機（以下、親機）である。１１０はコードレス電話子機（以下、子機）である。
【００１５】
図１に示すように、親機１００は、表示部１０１、操作部１０２、ハンドセット１０３及び親機アンテナ１０４を有し、有線回線１０６を介して公衆回線１０７に接続されている。親機アンテナ１０４は子機１１０との無線通信に使用される。表示部１０１はカラーＬＣＤから構成されているが、モノクロＬＣＤで構成されていても良い。
【００１６】
親機１００は、本体の制御、回線制御、留守番電話制御、及び子機との無線制御などを行うユニットである。
【００１７】
一方、子機１１０は、表示部１１１、操作部１１２を有し、通常の状態では子機１１０の電源である二次電池を充電する充電器１２０に載せられている。
【００１８】
図２は、図１に示すコードレス電話付き親機の内部構成を示すブロック図である。図２に示すように、親機１００には、図１に示す表示部１０１、操作部１０２、ハンドセット１０３、親機アンテナ１０４に加え、ＣＰＵ２０１、ＲＯＭ２０２、ＲＡＭ２０３が含まれる。更に、通信制御部２０４、ＤＳＰ（ＭＯＤＥＭ／音声処理）部２０５、音源部２０６、クロスポイントスイッチ部２０７、無線部２０８、本体スピーカ２０９、本体マイク２１０が含まれる。また、ファクシミリ機能を実現するために、送信原稿の読み取りや受信原稿の記録を行う記録部２１１、読取部２１２、センサ部２１３、フック検出部２１５が含まれる。そして、上述の各構成要素（以下、各部）はシステムバス２１４を介して相互に接続される。
【００１９】
ＣＰＵ２０１は、システムバス２１４を介して各部と信号やデータの授受を行い、入力した信号に応じてシステムバス２１４に接続された各部を制御する。即ち、ＣＰＵ２０１はＲＯＭ２０２に格納されたプログラムに従って、通話に伴う呼処理や各種サービス機能に伴う処理を実行する。サービス機能の一具体例としては、ユーザによってメール機能が起動されて文字メッセージが作成されると、ＣＰＵ２０１は作成された文字メッセージをテキストデータとしてＲＡＭ２０３に記憶する。
【００２０】
ＲＯＭ２０２は、ＣＰＵ２０１の制御プログラムを格納している。この制御プログラムとしては、ＤＳＰ部２０５を制御して留守番電話やＦＡＸ送受信、ナンバーディスプレイの表示、音声信号の入出力を実現するためのプログラムなどである。また、親機の状態で留守番電話を録音したり、ＦＡＸ受信が発生した場合、その状態における動作を、クロスポイントスイッチ部２０７を介して無線部２０８から子機１１０へ送信するためのプログラムも格納されている。更に、ＲＯＭ２０２はデータの書き込み、消去が可能なEEPROMやフラッシュＲＯＭで構成される。
【００２１】
ＲＡＭ２０３は、ＣＰＵ２０１が呼処理を含むＷＥＢ閲覧やメール送受信処理を実行する際に使用するワークメモリである。ここには、ＲＯＭ２０２と異なり、一時的なデータが記憶される。また、ＲＡＭ２０３は、電池などでバックアップされる場合やデータの書き込み、消去が可能なＥＥＰＲＯＭ又はフラッシュＲＯＭで構成されても良く、アクセススピードや保存処理に応じて必要なデバイスが使い分けられている。
【００２２】
通信制御部２０４は、公衆回線１０７を収容するためのインターフェースであり、アナログ回線の場合、局交換機の電話回線（以後、加入者線と称す）に接続され、ダイオードによる全波整流回路により構成される。更に、極性一致回路、リンガー検出回路、フックスイッチ回路、トランス回路で構成される。ここで、極性一致回路は、回線電圧の極性を一致させるための回路で、リンガー検出回路は、局交換機からの呼出信号を検出する回路である。フックスイッチ回路は、オフフック操作が行われると、回線ループを形成すると共に、局に対してダイヤルパルスを送出する回路で、トランス回路は、２線−４線変換を行うための回路である。
【００２３】
尚、通信制御部２０４を半導体で構成することも可能である。また、本実施形態では、アナログ回線に接続されているが、デジタル回線又は光やＡＤＳＬなどのブロードバンド回線に接続されても良い。
【００２４】
ＤＳＰ部２０５は、デジタル信号処理プロセッサであり、ＤＳＰとＡＦＥ（アナログフロントエンド）で構成される。機能的には、ＷＥＢ閲覧やメールの送受信を行うためのデータモデム機能を有する。更に、Ｇ３ＦＡＸによるファクシミリの送受信を行うファクシミリモデムの機能も、ＣＰＵ２０１の制御により実現する。また、モデムデータ（ナンバーディスプレイデータ）の解析を行うナンバディスプレイ機能や、文字データより人工的な音声信号を生成出力する音声合成機能なども有する。
【００２５】
音源部２０６は、保留音や着信メロディーを生成する音源ＬＳＩで構成される。また、擬似ＤＴ、ＢＴ、ＲＢＴ等のコールプログレストーンを出力するための音源も兼ねることができる。クロスポイントスイッチ部２０７は、ＣＰＵ２０１からの制御により各種音声信号の入出力切替を行う。ＤＳＰ部２０５からの信号や、音源部２０６、ハンドセット１０３、本体スピーカ２０９、本体マイク２１０、無線部２０８などのアナログ入出力信号の通信制御部２０４への入出力切替を行う。接続される子機１１０の音声信号の送受信はこの部分で切り替えられ回線と接続し、外線通話を形成したり、ハンドセット１０３と接続して内線通話を形成したりする。接続処理がシンプルな場合は削除することも可能である。
【００２６】
本体スピーカ２０９及び本体マイク２１０は、それぞれ音声の出力及び入力を行うものであるが、ハンドセット１０３を用いずに通話を行う、所謂ハンズフリー機能を提供しても良い。
【００２７】
無線部２０８は、制御データと音声信号を変調し、無線送信可能な形式に変換して親機アンテナ１０４に送ると共に、親機アンテナ１０４より無線受信した情報より復調されたデータを取り出す。ここで、制御データはＣＰＵ２０１に出力し、復調された音声や変調前の音声などのアナログ信号はクロスポイントスイッチ部２０７と授受される。
【００２８】
また、無線部２０８は、子機１１０と接続するために、モデム・コンパンダ、秘話・アンプ機能を有するベースバンド部を含む。ベースバンド部からの変調信号を無線送信可能な形式に変換して親機アンテナ１０４に送る。親機アンテナ１０４より無線受信した信号より変調信号を取り出しベースバンド部に出力する。
【００２９】
ここで、子機１１０と通話するには、通信制御部２０４が着信を検出し、無線部２０８に対して受信信号を起動し、無線部２０８が着信データ信号を無線に信号に変調して子機１１０へ送出する。その信号を子機１１０で応答することにより通信制御部２０４で着信した呼を接続し、クロスポイントスイッチ部２０７を介して無線部２０８を接続し、無線通話を形成する。また、親機１００の状態を子機１１０へ知らせる場合、ＣＰＵ２０１が留守番電話状態やメッセージ録音がされたかなどの判断を行い、その情報を無線部２０８介して子機１１０に送信する。また、子機１１０にて親機１００の留守番電話を起動する場合は、その情報を無線部２０８で受け、データを復調し、ＣＰＵ２０１が解析し、その状態に合わせて制御を行う。
【００３０】
更に、ＣＰＵ２０１は、ＲＯＭ２０２のプログラムに従って親機１００／子機１１０が無線通信中であるか否かの無線通信状態の監視、及び留守番電話の設定状態監視、などを行う。
【００３１】
記録部２１１は、感熱型、熱転写型プリンタ、或いはレーザービームプリンタ、インクジェットプリンタ等の周知のプリンタである。ＭＨ、ＭＲ、ＭＭＲ符号化されたデジタルデータを復号化し、復号化されたデータを印字データとして印字を行う。
【００３２】
読取部２１２は、ＣＣＤ或いは密着型センサアレイなどで読み取ったアナログデータをデジタルデータに変換し、変換されたデジタルデータをＭＨ、ＭＲ、ＭＭＲ符号化などの周知の符号化方法により符号化して出力する。
【００３３】
センサ部２１３は、読取部２１２上の送信原稿の有無やサイズを検出し、その結果をＣＰＵ２０１に通知する。また、記録部２１１上の記録紙の有無やサイズを検出しその結果をＣＰＵ２０１に通知する。
【００３４】
表示部１０１は、留守番電話のメッセージ録音情報や、時刻の表示、通信中の回線状態、及びエラーなどの状態を表示する。また、表示部１０１は、キー入力などを行う操作部１０２からキー入力された文字メッセージや受信した文字メッセージも表示する。更に、親機１００の各種サービス機能の設定内容も表示する。ここで留守番電話やＦＡＸの受信があることをＬＣＤやＬＥＤでユーザに知らせるようにもしている。
【００３５】
操作部１０２は、ダイヤル番号やＵＲＬなどを、０〜９、＊、＃などのキーを利用してアルファベットや記号などを入力するためのダイヤルキーを含む。更に、ファクシミリの送受信を制御する送信、受信キー、回線のオン／オフを行うオフフックキー、機能設定を行うためのセレクトキーなどのキーも含む。また、留守ボタンも操作部１０２内に含まれ、親機１００の留守設定や解除、着信中の留守設定や解除などに使用される。
【００３６】
フック検出部２１５は、特にハンドセット１０３のオン／オフを検出し、回線オン／オフを制御する。
【００３７】
図３は、図１に示すコードレス電話子機の内部構成を示すブロック図である。図３に示すように、子機１１０には、図１に示す表示部１１１、操作部１１２に加え、ＣＰＵ３０１、ＲＯＭ３０２、ＲＡＭ３０３が含まれる。更に、ベースバンド部３０４、無線部３０５、スピーカ３０６、レシーバ３０７、マイク３０８、電源部３０９、子機アンテナ３１２が含まれる。
【００３８】
ＣＰＵ３０１は、子機１１０全体の制御を行う。具体的には、操作部１１２からのキー操作処理、表示処理、親機１００との無線制御、変復調制御、ＡＤ変換や音声処理などが含まれる。ＲＯＭ３０２は、ＣＰＵ３０１の制御プログラムが格納されたメモリである。ＲＡＭ３０３は、ＣＰＵ３０１が制御を実行時に使用するワークエリアやリアルタイムに書き換える情報及び保存を有しないデータを一時的に記憶するエリアが定義されたメモリである。更に、親機１００の留守番電話状態などを管理するテーブルも含まれる。
【００３９】
また、ＲＡＭ３０３は、留守番電話装置としての呼出符号（システムＩＤ）、子機番号などを記憶するＥＥＰＲＯＭ又は電話帳データを記憶するためのフラッシュＲＯＭで構成されても良く、アクセススピードや保存の必要性により使い分けられている。
【００４０】
操作部１１２には、ダイヤル番号を入力するダイヤルキー、通話キー、切るキー、保留キー、スピーカキー、電話帳キーなどの機能キーが含まれる。更に、留守ボタンも操作部１１２に付随しているが、親機１００の留守番電話機能を制御するための操作キーとしてに機能する。そして、充電器１２０に載っているときは上述のように動作するが、充電をされていない状態では点灯、点滅動作を行わず、バッテリの消費を低減させるように動作する。
【００４１】
表示部１１１は、ＬＣＤ、ＬＥＤなどで構成され、操作メニューや電話帳の表示、時間や着信を知らせる表示、操作部１１２より入力されるダイヤル番号や公衆回線の使用状況、電波状況などを表示する。更に、親機１００の状態を示すために留守番電話の設定状態をＬＣＤに表示させることも可能である。
【００４２】
ベースバンド部３０４は、モデム・コンパンダ、秘話・アンプ機能を有し、制御データや音声信号の送受信を可能とする。また、子機１１０がデジタルコードレスの場合、アナログからデジタルへの変換や音声圧縮機能も有する。無線部３０５は、変復調された信号処理を行う。
【００４３】
更に、無線部３０５の動作としては、子機１１０は電池で動作しているため電池の消耗を最低限にするため無線部の動作を間欠に動かす処理が一般的である。これは、スタンバイの時は、一定間隔で無線部に電源を供給して子機に対する無線電波があるかを検出する。
【００４４】
次に、電源部３０９は、充電可能な２次電池で構成され、NiMHやLiイオン電池で構成され、充電制御回路において充電される。また、充電する際は、充電器１２０に置かれ接点を介して充電したり無接点方式で充電する構成もある。更に、電源部３０９では、この充電器１２０に置かれたか置かれていないかを検出する機能もあり、その状態はＣＰＵ３０１で検出し、ＲＡＭ３０３で状態を管理している。
【００４５】
上述の構成において、親機１００から送信された親機状態情報がアンテナ３１２を介して無線部３０５で受信される。ここで、ベースバンド部３０４で受信受信情報を復調し、ＣＰＵ３０１で解析可能な状態にする。そして、受信した信号に留守番電話のメッセージがあるのか、ＦＡＸの受信があるのか、それとも両方あるのかの情報を得てそれに対応したメッセージを表示部１１１に表示する。更に、電源部３０９において、充電器１２０に置かれているか否かを検出し、置かれていれば表示部１１１のＬＣＤのバックライト等を点滅させる。
【００４６】
次に、親機の留守番電話機能及びファクシミリ機能により状態が変化したか否かを監視し、状態が変化した場合に、その旨を子機に送信する処理を、図４を用いて説明する。
【００４７】
図４は、本実施形態における親機での状態送信処理を示すフローチャートである。まず、通常の動作として、親機で、留守番電話のメッセージを録音が終了又はＦＡＸの受信が終了するとステップＳ４０１へ処理を進め、親機の動作状態に変化があったか否かを判定する。ステップＳ４０１では、ＦＡＸを受信した状態か否かを判定する。ここで、ＦＡＸを受信した状態であればステップＳ４０２へ処理を進め、留守番電話のメッセージを録音した状態か否かを判定する。ここで、メッセージが無い場合はステップＳ４０４へ処理を進め、ＦＡＸデータのみ受信した状態であることを子機へ送信する。そして、親機スタンバイに戻り、動作状態を監視する。
【００４８】
一方、ステップＳ４０２で、留守番電話のメッセージを録音した状態であればステップＳ４０３へ処理を進める。このステップＳ４０３では、ＦＡＸデータを受信した状態と、留守番電話のメッセージを録音した状態であることを子機へ送信する。そして、親機スタンバイに戻り、動作状態を監視する。
【００４９】
また、上述のステップＳ４０１におけるＦＡＸ状態判定でＦＡＸを受信していなければステップＳ４０５へ処理を進める。このステップＳ４０５では、留守番電話のメッセージを録音したか否かを判定する。ここで、メッセージが録音されていればステップＳ４０６へ処理を進め、留守番電話のメッセージのみ受信した状態であることを子機へ送信する。そして、親機スタンバイに戻り、動作状態を監視する。
【００５０】
尚、ここでは、ＦＡＸ判定をメッセージ判定の前に行っているが、逆でも問題はない。また、動作状態はユーザがメッセージを聞いたり削除したり、ＦＡＸを削除したりで常に変化する。そのため、親機は、状態変化に合わせて子機へ状態を送る。例えば、ＦＡＸとメッセージの両方の状態が子機へ送信された後、親機側で留守番電話のメッセージを確認して削除した場合、親機の状態は変化する。
【００５１】
そのため、子機への情報はステップＳ４０２の留守番電話メッセージ判定で無しとなり、ステップＳ４０４でＦＡＸデータのみ受信した状態であることを子機へ送信する。そして、親機スタンバイに戻り、動作状態を監視する。
【００５２】
更に、ＦＡＸ情報も印字してメモリから削除した場合、親機の状態はメッセージもＦＡＸも両方とも無い状態になる。
【００５３】
ここで、親機の状態が更に変化したので子機へ送信される情報は、ステップＳ４０１のＦＡＸ状態は無しと判定し、ステップＳ４０５でメッセージ状態も無しのため、ステップＳ４０７で親機状態はＦＡＸもメッセージも無い状態の情報を子機へ送信する。そして、親機スタンバイに戻り、状態を監視する。
【００５４】
次に、親機から動作状態の変化を受信する子機での処理を、図５を用いて説明する。
【００５５】
図５は、本実施形態における子機での状態表示処理を示すフローチャートである。まず、ステップＳ５０１で、子機は電池で動作しているため、長時間動作を可能とするために無線受信を間欠動作で行っている。そして、間欠受信を行いながらステップＳ５０２で、自分の親機からの状態データを受信したか否かを判定する。具体的には、間欠受信中に、キャリアを検出したら自分の接続された親機からの信号か否かを登録されたＩＤにて判定する。ここで、一致したらステップＳ５０３へ処理を進め、受信データの内容を解析し、内容に応じた処理を実行する。また、状態情報でなければステップＳ５０１に戻り、間欠受信を繰り返す。
【００５６】
尚、図５では示していないが、間欠受信中に着信要求がくれば、通常の子機通話の動作に移行する。
【００５７】
次に、ステップＳ５０３で親機から受信した情報（親機状態情報）を解析し、判定した結果、本実施形態では、４種類のパターンに切り替えて動作する場合を例に説明する。
【００５８】
まず、親機状態情報が“Ａ”の場合はステップＳ５０４へ処理を進め、“ＦＡＸあり”と“メッセージあり”の両方を表示部１１１に表示する。
【００５９】
次に、親機状態情報が“Ｂ”の場合はステップＳ５０５へ処理を進め、“ＦＡＸあり”を表示部１１１に表示する。
【００６０】
次に、親機状態情報が“Ｃ”の場合はステップＳ５０６へ処理を進め、“メッセージあり”を表示部１１１に表示する。
【００６１】
次に、親機状態情報が“Ｄ”の場合はステップＳ５０７へ処理を進め、“ＦＡＸ／メッセージなし”を意味するため、子機の表示部１１１に状態を示す表示は行わない。これは、表示ありから無しになることにおいては、ユーザが子機の親機状態を確認し、親機操作にて示された状態を確認したことで親機状態がクリアされる。そのために、子機に示している親機状態も消すためにステップＳ５０７で“ＦＡＸ／メッセージなし”を親機が送信し、子機の表示を消す場合に使用する。
【００６２】
次に、ステップＳ５０８で、上述の状態表示に合わせて、子機が充電器１２０にセットされているか否かを判定する。判定した結果、子機が充電器１２０にセットされていればステップＳ５０９へ処理を進め、バックライト点滅情報をセットする。これにより、ＬＣＤの状態表示とバックライトの点滅動作が完了する。また、充電器１２０にセットされていない状態であれば、バックライト無しでＬＣＤの表示のみの動作となる。
【００６３】
ここで、上述した子機の状態表示の詳細なタイミングを、図６を用いて説明する。
【００６４】
図６は、間欠受信とＬＣＤバックライト点滅、ＬＣＤの表示のタイミングと、更に充放電のタイミングを示す図である。これらは、子機のタイマを基準に動作しているが、ここでは、内部の時計タイマを利用した場合を説明する。この時計タイマは、５００msごとに動作基準となるクロックを発生する。
【００６５】
ここで、子機は電池の消耗を最小限にするために、スタンバイ時には間欠受信を行い、親機から無線信号が送信されたか否かをチェックしている。この動作は、図３に示す無線部３０５にて実施される。この時のタイミングは、親機からの信号を検出しなければ一定の間隔で動作している。この動作は、上述の時計タイマを基準に実施され、５００msごとに受信を行い、親機からの情報が送信されていないかを確認する。
【００６６】
次に、ＬＣＤバックライトの点滅タイミングを説明する。これも時計タイマの５００msを基準に１周期点灯し、６周期は消灯のパターンが繰り返される。この際に、間欠受信を行うタイミングは、図６に示すように点灯タイミングをずらして行う。消灯タイミングともずらして動作する。このように制御することにより、ＬＣＤ点灯時、消灯時に発生するノイズを間欠受信時には、受けないように工夫している。
【００６７】
そして、ＬＣＤ表示は、ＬＣＤバックライトとリンクして表示を行うようにしている。ここでは、ファックスとメッセージの両方が入っている場合について説明するが、ＬＣＤバックライトの周期とリンクして「ファクスあり」と「メッセージあり」とを切り替えて表示する。
【００６８】
更に、点滅させる理由の一つである充放電特性を最後に示すが、ＬＣＤ（ＬＣＤバックライト）の点灯時は、充電状態であっても充電電流と同じくらいの消費が発生するため、電池の充電にはならない。
【００６９】
このような関係もあり、充電中の放電とユーザに分かり易く表示することの両立を図るための結果として、ここで説明した点滅タイミングで制御している。
【００７０】
ここで、図６に合わせた実際の動作を説明すると、親機に留守番電話のメッセージと、ＦＡＸ受信情報が入った場合、これを子機へ無線制御により情報を提供する。これにより、子機は、その状態を受け、また間欠受信に入る。この状態では、図７に示すような子機の表示となり、子機のＬＣＤに表示に「ファクスあり」と、「メッセージあり」を交互に表示させる。
【００７１】
尚、図７に示す（Ａ）は、「ファクスあり」の場合で、（Ｂ）は「メッセージあり」の場合である。また、ここでは、３．５秒のタイミングで切り替えを行っている。
【００７２】
図６において、本実施形態の特徴の１つである点滅は表示を切り替えた最初の５００msのみ点灯する。この時間であれば、ＬＣＤバックライト点滅機能が動作しない場合の充電時間と、点滅機能が動作するときの充電時間の差を少なくできる。そうしないと充電時間に差が生じてしまい、状態表示点滅機能動作中の充電時間は２０時間、そうでないときは１０時間でフル充電できます、というような、ユーザにとって分かりにくい仕様になってしまう。
【００７３】
更に、上述の点灯制御は、どうしても無線通信に影響の出やすいポイントとなり、点灯タイミングと間欠受信タイミングをずらすことによりノイズを受けにくい構成とすることができ、本実施形態では、点灯をしてから間欠受信を起動するようにしている。
【００７４】
本実施形態によれば、以下のような効果がある。
（１）子機において親機側の複数の状態を知らせることができる。
（２）充電中（充電器に置かれている状態）であれば、表示と合わせてＬＣＤが点滅し、状態表示の切り替えに合わせて点滅することで、より視認性が上がる。
（３）充電中も点滅表示にし、特別な充電制御を行わなくても、点滅動作をしているときと点滅動作をしていないときとの充電時間が変わるようなことなく、十分に充電が可能となり、コストアップにもつながらない。
（４）ＬＣＤ点滅によって発生するノイズも、間欠受信のタイミングとＬＣＤ点滅タイミングをずらすことにより、発生するＬＣＤ点滅ノイズが無線データ受信に影響を与えずに点滅機能を実現することができる。
【００７５】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００７６】
また、前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行する。これによっても、本発明の目的が達成されることは言うまでもない。
【００７７】
この場合、コンピュータ読み取り可能な記録媒体から読出されたプログラムコード自体が前述した実施形態の機能を実現することになり、そのプログラムコードを記憶した記録媒体は本発明を構成することになる。
【００７８】
このプログラムコードを供給するための記録媒体として、例えばフレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００７９】
また、コンピュータが読出したプログラムコードを実行することにより、前述した実施形態の機能が実現されるだけでなく、次の場合も含まれることは言うまでもない。即ち、プログラムコードの指示に基づき、コンピュータ上で稼働しているＯＳ（オペレーティングシステム）などが実際の処理の一部又は全部を行い、その処理により前述した実施形態の機能が実現される場合である。
【００８０】
更に、記録媒体から読出されたプログラムコードがコンピュータに挿入された機能拡張ボードやコンピュータに接続された機能拡張ユニットに備わるメモリに書込む。その後、そのプログラムコードの指示に基づき、その機能拡張ボードや機能拡張ユニットに備わるＣＰＵなどが実際の処理の一部又は全部を行い、その処理により前述した実施形態の機能が実現される場合も含まれることは言うまでもない。
【図面の簡単な説明】
【００８１】
【図１】本実施形態におけるコードレス留守番電話付きファクシミリ装置（ＦＡＸ）の構成の一例を示す図である。
【図２】図１に示すコードレス電話付き親機の内部構成を示すブロック図である。
【図３】図１に示すコードレス電話子機の内部構成を示すブロック図である。
【図４】本実施形態における親機での状態送信処理を示すフローチャートである。
【図５】本実施形態における子機での状態表示処理を示すフローチャートである。
【図６】間欠受信とＬＣＤバックライト点滅、ＬＣＤの表示のタイミングと、更に充放電のタイミングを示す図である。
【図７】子機の状態表示の一例を示す図である。
【符号の説明】
【００８２】
１０１  表示部
１０２  操作部
１０３  ハンドセット
１０４  親機アンテナ
１０６  有線回線
１０７  公衆網
１１０  子機
１１１  表示部
１１２  操作部
１２０  充電器
２０１  ＣＰＵ
２０２  ＲＯＭ
２０３  ＲＡＭ
２０４  通信制御部
２０５  ＤＳＰ部
２０６  音源部
２０７  クロスポイントスイッチ部
２０８  無線部
２０９  本体スピーカ
２１０  本体マイク
２１１  記録部
２１２  読取部
２１３  センサ部
２１４  システムバス
２１５  フック検出部
３０１  ＣＰＵ
３０２  ＲＯＭ
３０３  ＲＡＭ
３０４  ベースバンド部
３０５  無線部
３０６  スピーカ
３０７  レシーバ
３０８  マイク
３０９  電源部
３１０  表示部
３１１  操作部
３１２  子機アンテナ
【図１】
2009005172.tif 000003
【図２】
2009005172.tif 000004
【図３】
2009005172.tif 000005
【図４】
2009005172.tif 000006
【図５】
2009005172.tif 000007
【図６】
2009005172.tif 000008
【図７】
2009005172.tif 000009